(57)【要約】  本発明は、ハウジング、前記ハウジングの内部に備えられ、水を収容する空間を提供するタブ、前記タブの内部に回転可能に備えられ、衣類を収容するドラム、前記タブに収容された水を加熱するヒーター、前記ドラムの底面と前記タブの底面の間に位置する空間に前記ヒーターが挿入できるように前記タブを貫いて備えられるタブ貫通部、前記ハウジングに備えられる三つ以上の第１支持部、前記タブの円周面から突出するように備えられ、前記第１支持部と同一の数で備えられる三つ以上の第２支持部、及び前記第１支持部と前記第２支持部を連結する多数の連結部を含み、多数の前記第２支持部の少なくともいずれか一つは前記ヒーターが前記タブ貫通部に挿入される方向に平行な方向に前記タブの円周面から突出した、衣類処理装置に関するものである。【選択図】図６
2018524026.tif 000002
【特許請求の範囲】
【請求項１】
ハウジングと、
前記ハウジングの内部に備えられ、水を収容する空間を提供するタブと、
前記タブの内部に回転可能に備えられ、衣類を収容するドラムと、
前記タブに収容された水を加熱するヒーターと、
前記ドラムの底面及び前記タブの底面の間に位置する空間に前記ヒーターが挿入できるように前記タブを貫いて備えられるタブ貫通部と、
前記ハウジングに備えられる三つ以上の第１支持部と、
前記タブの円周面から突出するように備えられ、前記第１支持部と同一の数で備えられる三つ以上の第２支持部と、
前記第１支持部及び前記第２支持部を連結する多数の連結部と、を含み、
多数の前記第２支持部の少なくともいずれか一つは、前記ヒーターが前記タブ貫通部に挿入される方向に平行な方向に前記タブの円周面から突出した、衣類処理装置。
【請求項２】
前記タブの底面に前記ドラムの底面から遠くなる方向に向かって突出して、前記ヒーターを収容する空間を提供し、前記タブ貫通部が備えられる収容部をさらに含む、請求項１に記載の衣類処理装置。
【請求項３】
前記収容部は、前記ヒーターの挿入方向が前記ドラムの回転中心から遠くなる方向に向かうように備えられる、請求項２に記載の衣類処理装置。
【請求項４】
多数の前記連結部は、前記ハウジングの底面に対して直角をなす、請求項１〜３のいずれか一項に記載の衣類処理装置。
【請求項５】
多数の前記第１支持部は、
前記ハウジングの一面に備えられ、前記ハウジングに着脱可能な二つの第１ブラケットと、
前記ハウジングに備えられ、前記第１ブラケットが備えられた面の対向面に備えられる二つの第２ブラケットとを含む、請求項４に記載の衣類処理装置。
【請求項６】
前記各連結部は、
前記第１支持部に装着される第１連結部と、
前記第２支持部を支持する第２連結部と、
前記第１連結部及び前記第２連結部を連結し、前記ハウジングの底面に対して直角をなすバー（ｂａｒ）とを含む、請求項４に記載の衣類処理装置。
【請求項７】
前記それぞれの第１支持部は、前記ハウジングと連結するように備えられる第１連結部に備えられるブラケットを含む、請求項６に記載の衣類処理装置。
【請求項８】
前記ブラケットは、
前記ハウジングの前面に連結されるように備えられる第１ブラケットと、
前記ハウジングの前面を連結するように備えられる第２ブラケットとを含む、請求項７に記載の衣類処理装置。
【請求項９】
前記それぞれの第１支持部は、前記ハウジングの前面と連結されるように備えられる前方ブラケットと、前記ハウジングの後面と結合されるように備えられる後方ブラケットとを含む、請求項６に記載の衣類処理装置。
【請求項１０】
前記前方ブラケットは、
前記ハウジングの前面に備えられる第１前方ブラケットと、
前記ハウジングの前面に備えられる第２前方ブラケットとを含み、
前記後方ブラケットは、
前記ハウジングの後面に備えられる第１後方ブラケットと、
前記ハウジングの後面に備えられる第２後方ブラケットとを含む、請求項９に記載の衣類処理装置。
【請求項１１】
前記ハウジングを収容する空間を提供するキャビネットをさらに含み、
前記ハウジングは、前記キャビネットから引き出し可能である、請求項１に記載の衣類処理装置。
【請求項１２】
前記タブは、
水を収容し、前記第２支持部が備えられるタブボディーと、
前記タブボディーの上面をなすタブカバーと、
前記タブカバーを貫くように備えられる投入口と、
前記投入口を開閉するドアとをさらに含む、請求項１に記載の衣類処理装置。
【請求項１３】
前記タブボディーの底面に対して直角をなすように備えられ、前記ドラムを回転させる回転軸と、
前記ドラムの回転時に発生する遠心力によって前記タブカバーの方向に移動する水の少なくとも一部を前記ドアに噴射する噴射部とをさらに含む、請求項１２に記載の衣類処理装置。
【請求項１４】
前記タブ貫通部は、前記収容部の一端に位置し、前記タブの底面に平行に備えられる、請求項３に記載の衣類処理装置。
【請求項１５】
前記タブ貫通部は、前記ヒーターが前記タブ貫通部に挿入される方向に平行に備えられる前記第２支持部の下側に備えられる、請求項１４に記載の衣類処理装置。
【請求項１６】
前記タブ貫通部は、前記ヒーターが前記タブ貫通部に挿入される方向に平行に備えられる前記第２支持部の下側に離隔して備えられる、請求項１４に記載の衣類処理装置。
【請求項１７】
前記収容部は、直方体状に形成され、
前記タブ貫通部は、直四角形に形成され、
前記ヒーターは“Ｃ”形に形成される、請求項１４に記載の衣類処理装置。
【請求項１８】
前記ヒーターの各端は、前記タブ貫通部を介して前記収容部の外部に突出するように備えられる、請求項１７に記載の衣類処理装置。
【請求項１９】
前記収容部には、前記タブの水を排出する配水管が連結されている、請求項３に記載の衣類処理装置。
【発明の詳細な説明】
【技術分野】
【０００１】
本発明は衣類処理装置に関するものである。
【背景技術】
【０００２】
一般に、衣類処理装置は衣類（洗濯対象物、乾燥対象物）を洗濯する装置、衣類を乾燥する装置、衣類の洗濯及び乾燥を一緒に遂行することができる装置を含む概念である。
【０００３】
従来の衣類処理装置は、装置の前面に備えられた投入口を通じて衣類を装置に投入するフロントローディング方式と、装置の上面に備えられた投入口を通じて衣類を装置に投入するトップローディング方式に区分された。
【０００４】
トップローディング方式の衣類処理装置は、キャビネット、前記キャビネットの内部に備えられ、上面に投入口が備えられたタブ、前記タブの内部に回転可能に備えられたドラム、及び前記投入口を開閉するドアを含むように構成される。
【０００５】
上述した構造を有する従来の衣類処理装置において、前記タブはタブ支持部を介してキャビネットの内部に固定されるが、従来のタブ支持部は前記タブがキャビネットの高さ方向に振動することを効果的に抑制することができない問題があった。
【０００６】
また、従来の衣類処理装置のうち、非常に少量の衣類のみを洗濯するために体積を最小化した衣類処理装置がある。体積を最小化した衣類処理装置は、投入口とドラムの上端の間の間隔が非常に小さいことが特徴である。よって、衣類の洗濯のためにドラムが回転するとき、タブの内部に発生した異物がドアに残留する問題があった。
【０００７】
また、体積を最小化した前記衣類処理装置は洗浄効率を高めるためのヒーターがタブに備えられにくい問題があった。
【０００８】
特に、前記従来の衣類処理装置がトップローディング方式である場合、前記ヒーターは前記タブの底面に備えられなければならないが、前記ヒーターが備えられるのに十分な空間を確保することができない問題があった。
【０００９】
また、従来の衣類処理装置には、前記ヒーターを収容する空間と前記タブが前記キャビネットなどに固定される部材を同じ金型で射出することができない煩わしさがあった。
【００１０】
また、従来の衣類処理装置には、ヒーターに優先的に水が供給されなくてヒーターが過熱する問題があった。
【００１１】
また、従来の衣類処理装置が体積を最小化してドラムの底面とタブの底面が狭小であるため、前記ヒーターがドラムの回転によって損傷される問題があった。
【発明の概要】
【発明が解決しようとする課題】
【００１２】
本発明は、衣類処理装置の体積を最小化するとともにタブの底面にヒーター設置空間を確保することができる衣類処理装置を提供することを解決しようとする課題とする。
【００１３】
本発明は、衣類処理装置の体積を最小化するとともにヒーターを容易にタブに挿入することができる衣類処理装置を提供することを解決しようとする課題とする。
【００１４】
本発明は、タブを支持するための連結部とヒーターの設置空間を提供する収容部を同時に射出することができる衣類処理装置を提供することを解決しようとする課題とする。
【００１５】
本発明は、衣類処理装置の体積を最小化するとともにヒーター設置空間を提供する収容部の容積を増やすことができる衣類処理装置を提供することを解決しようとする課題とする。
【００１６】
本発明は、前記連結部と収容部を単一金型で射出することができる衣類処理装置を提供することを解決しようとする課題とする。
【００１７】
本発明は、ヒーターの過熱を防止して、ドラムの回転中にドラムの底面によってヒーターが損傷されることを防止する衣類処理装置を提供することを解決しようとする課題とする。
【００１８】
本発明は衣類を収容するタブの振動を効果的に制御することができる衣類処理装置を提供することを解決しようとする課題とする。
【００１９】
また、本発明は、洗濯時にタブの内部に発生した異物が投入口を開閉するドアに残留することを防止することができる衣類処理装置を提供することを解決しようとする課題とする。
【課題を解決するための手段】
【００２０】
その他の利点、目的、特徴は一部が以下の詳細な説明に開示され、一部が以下の説明から当業者に明らかになるか実施によって分かるであろう。前記目的及び他の利点は明細書及び請求項だけではなく図面に具体的に開示した構造から実現及び達成することができる。
【００２１】
本発明は上述した課題の解決のために、ハウジングと、前記ハウジングの内部に備えられ、水を収容する空間を提供するタブと、前記タブの内部に回転可能に備えられ、衣類を収容するドラムと、前記タブに収容された水を加熱するヒーターと、前記ドラムの底面と前記タブの底面の間に位置する空間に前記ヒーターが挿入できるように前記タブを貫いて備えられるタブ貫通部と、前記ハウジングに備えられる三つ以上の第１支持部と、前記タブの円周面から突出するように備えられ、前記第１支持部と同一の数で備えられる三つ以上の第２支持部と、前記第１支持部と前記第２支持部を連結する多数の連結部と、を含み、多数の前記第２支持部の少なくともいずれか一つは前記ヒーターが前記タブ貫通部に挿入される方向に平行な方向に前記タブの円周面から突出した衣類処理装置を提供する。
【００２２】
本発明は、前記タブの底面から前記ドラムの底面から遠くなる方向に突出して、前記ヒーターを収容する空間を提供し、前記タブ貫通部が備えられる収容部とをさらに含むことができる。
【００２３】
前記収容部は、前記ヒーターの挿入方向が前記ドラムの回転中心から遠くなる方向に向かうように備えられることができる。
【００２４】
多数の前記連結部は前記ハウジングの底面に対して直角をなすように備えられることができる。
【００２５】
多数の前記第１支持部は、前記ハウジングの一面に備えられるとともに前記ハウジングに着脱可能な二つの第１ブラケットと、前記ハウジングに備えられるとともに前記第１ブラケットが備えられた面の対向面に備えられる二つの第２ブラケットとを含むことができる。
【００２６】
多数の前記連結部のそれぞれは、前記第１支持部に装着される第１連結部と、前記第２支持部を支持する第２連結部と、前記第１連結部と前記第２連結部を連結し、前記ハウジングの底面に対して直角をなすバー（ｂａｒ）とを含むことができる。
【００２７】
前記第１支持部は、前記連結部に備えられ、前記ハウジングの前面に着脱可能な二つの第１ブラケットと、前記ハウジングの後面に備えられる二つの第２ブラケットとを含むことができる。
【００２８】
本発明は、前記ハウジングを収容する空間を提供するキャビネットとをさらに含むことができ、前記ハウジングは前記キャビネットから引出し可能に備えられることができる。
【００２９】
前記タブは、水を収容し、前記第２支持部が備えられるタブボディーと、前記タブボディーの上面をなすタブカバーと、前記タブカバーを貫くように備えられる投入口と、前記投入口を開閉するドアとをさらに含むことができる。
【００３０】
本発明は、前記タブボディーの底面に対して直角をなすように備えられ、前記ドラムを回転させる回転軸と、前記ドラムの回転時に発生する遠心力によって前記タブカバーの方向に移動する水の少なくとも一部を前記ドアに噴射する噴射部とをさらに含むことができる。
【００３１】
本発明は、前記タブ貫通部が前記収容部の一端に、前記タブの底面に平行に備えられることができる。
【００３２】
本発明は、前記タブ貫通部が前記ヒーターが前記タブ貫通部に挿入される方向に平行に備えられる前記第２支持部の下側に備えられることができる。
【００３３】
本発明は、前記タブ貫通部が前記ヒーターが前記タブ貫通部に挿入される方向に平行に備えられる前記第２支持部の下側に離隔して備えられることができる。
【００３４】
本発明は、前記収容部が直方体状に形成され、前記タブ貫通部は直四角形に形成され、前記ヒーターは前記タブ貫通部が備えられた前記収容部の一端から前記収容部の他端まで収容することができるように“Ｃ”形に形成されることができる。
【００３５】
本発明は、前記収容部には前記タブの水を排出する配水管が連結されることができる。
【００３６】
前記のような一般的な説明及び以降の詳細な説明は例示及び説明のためのもので、請求範囲で主張するような本発明の更なる説明を提供しようとするものであることが理解可能である。
【発明の効果】
【００３７】
本発明は、衣類処理装置の体積を最小化するとともにタブの底面にヒーター設置空間を確保することができる衣類処理装置を提供する効果を図ることができる。
【００３８】
本発明は、衣類処理装置の体積を最小化するとともにヒーターを容易にタブに挿入することができる衣類処理装置を提供する効果を図ることができる。
【００３９】
本発明は、タブを支持するための連結部とヒーター設置空間を提供する収容部を同時に射出することができる衣類処理装置を提供する効果を図ることができる。
【００４０】
本発明は、衣類処理装置の体積を最小化するとともにヒーター設置空間を提供する収容部の容積を増やすことができる衣類処理装置を提供する効果を図ることができる。
【００４１】
本発明は、ヒーターの過熱を防止して、ドラムの回転中にドラムの底面によってヒーターが損傷されることを防止する衣類処理装置を提供する効果を図ることができる。
【００４２】
本発明は、衣類を収容するタブの振動を効果的に制御することができる衣類処理装置を提供する効果を図ることができる。
【００４３】
また、本発明は、洗濯時、タブの内部に発生した異物が投入口を開閉するドアに残留することを防止することができる衣類処理装置を提供する効果を図ることができる。
【図面の簡単な説明】
【００４４】
【図１】本発明の衣類処理装置の一例を示す図である。
【図２】本発明の衣類処理装置の一例を示す図である。
【図３】ハウジング、タブ及びドラムの結合構造を示す図である。
【図４】タブ支持部の一例を示す図である。
【図５】タブ支持部に備えられた第１支持部の一例を示す図である。
【図６】タブ支持部に備えられた第２支持部の一例を示す図である。
【図７】噴射部の一例を示す図である。
【図８】噴射部の一例を示す図である。
【発明を実施するための形態】
【００４５】
衣類処理装置は、ハウジング、前記ハウジングの内部に備えられ、水を収容するタブ、前記タブの内部に回転可能に備えられ、衣類を収容するドラム、及び前記ハウジングの内部に前記タブを支持させるタブ支持部を含む。
【００４６】
前記ハウジングは内部にタブを収容することができる空間が形成されたキャビネットでなることもできるが、図１に示したように、前記ハウジング３は前記キャビネット２から引出し可能なドローア（ｄｒａｗｅｒ）でなることもできる。以下では、前記ハウジング３がキャビネット２から引出し可能なドローアである場合を基準に説明する。
【００４７】
前記キャビネット２は衣類処理装置１００の外観をなす手段であってもよく、単に前記ハウジング３を収容することが可能な空間であってもよい。いずれの場合であっても、キャビネット２の前面にはハウジング３が挿入される開放面２１が備えられることが好ましい。
【００４８】
前記ハウジング３は、前記開放面２１を通じてキャビネット２の内部に挿入されるハウジングボディー３１、前記ハウジングボディー３１の前面に固定され、前記開放面２１を開閉するハウジングパネル３３、及び前記ハウジングボディー３１の上面をなすハウジングカバー３５を含む。
【００４９】
前記ハウジングパネル３３はハウジングボディー３１の前面に固定されるから、前記ハウジングボディー３１をキャビネット２から引き出すハンドルの役目もすることができる。
【００５０】
前記ハウジングパネル３３には、衣類処理装置１００の作動に関連した制御命令を入力するかあるいは衣類処理装置の作動に関連したメッセージを使用者に表示するコントロールパネル３３１が備えられることができる。
【００５１】
前記ハウジングボディー３１は、前記開放面２１を通じてキャビネット２に挿入可能であるとともに前記タブ４を収容する空間を提供することができる限り、どんな形状にも構成されることができるが、図１は内部が空いている六面体状のハウジングボディー３１を一例として示すものである。
【００５２】
前記ハウジングカバー３５にはハウジングボディー３１の内部を外部と連通させる第１貫通ホール３５１及び第２貫通ホール３５３が備えられる。前記第１貫通ホール３５１は衣類の出入のために備えられ、前記第２貫通ホール３５３は衣類の洗濯に必要な水を供給するために備えられるもので、その詳細な説明は後述する。
【００５３】
図２に示したように、前記タブ４は、前記ハウジングボディー３１の内部に位置し、水を収容するタブボディー４１、及び前記タブボディー４１の上面をなすタブカバー４３を含む。前記タブボディー４１は上面が開放した円筒状に構成されることができ、タブボディー４１の底面にはヒーター４１１を収容する収容部４１３が備えられる。
【００５４】
前記収容部４１３はタブ貫通部４１５を通じて外部と連通し、前記ヒーター４１１は前記タブ貫通部４１５を通じてドラムの底面とタブの底面の間に位置する空間に挿入される。
【００５５】
前記タブカバー４３は、前記タブボディー４１の内部を前記タブボディーの外部と連通させる投入口４３１、及び前記タブボディー４１の内部に水を流入させる供給口４３３を含むことができる。
【００５６】
前記投入口４３１はハウジングカバー３５に備えられた第１貫通ホール３５１に連通するように構成され、前記供給口４３３はハウジングカバーの第２貫通ホール３５３に連通するように構成されることが好ましい。すなわち、前記投入口４３１は前記第１貫通ホール３５１の下側に位置し、前記供給口４３３は前記第２貫通ホール３５３の下側に位置することが好ましい。
【００５７】
前記投入口４３１はタブボディー４１の内部に衣類を供給するかあるいはタブボディー４１内部の衣類をタブボディーの外部に引き出すための手段であり、前記投入口４３１はドア４５によって開閉される。
【００５８】
図３に示したように、前記ドア４５は、ヒンジ４５３を介して前記タブカバー４３に回転可能に結合されるフレーム４５１、前記フレームに備えられるウィンドウ４５５、及び前記フレーム４５１を前記タブカバー４３に着脱可能に結合させるドアハンドル４５７を含むことができる。使用者がタブボディー４１の内部を確認することができるように前記ウィンドウ４５５は透明素材でなることが好ましい。
【００５９】
前記ハウジング３がキャビネット２から引き出された場合、使用者がタブボディー４１の内部を確認することができるように、前記ウィンドウ４５５は透明素材でなることが好ましい。
【００６０】
前記投入口４３１を通じて前記タブボディー４１の内部の水がタブボディー４１の外部に排出されることを防止するために、前記フレーム４５１及び前記タブカバー４３のいずれか一方には、前記ドア４５が投入口４３１を閉鎖したとき、フレーム４５１と投入口４３１の間の空間を密閉させるシーリング部４５９がさらに備えられることができる。
【００６１】
前記タブ４の内部に備えられるドラム５は上部に開放面５３が備えられた円筒状のドラムボディー５１でなることができる。前記開放面５３は前記投入口４３１の下側に位置するので、投入口４３１を通じて供給される衣類は開放面５３を通じてドラムボディー５１に供給されるであろう。
【００６２】
図２に示したように、前記ドラムボディー５１の底面５７と円周面５５には、ドラムボディー５１の内部をタブボディー４１と連通させる多数のドラム貫通ホール５９が備えられることができる。
【００６３】
前記ドラムボディー５１は駆動部によってタブボディー４１の内部で回転する。前記駆動部は、タブボディー４１の外部に位置するとともにタブボディーの底面に固定されるステーターＭ１、前記ステーターが提供する回転磁界（ｒｏｔａｔｉｎｇ  ｆｉｅｌｄ）によって回転するローターＭ２、及び前記タブボディー４１の底面を貫くように備えられ、前記ドラムの底面５７とローターＭ３を連結する回転軸Ｍ３を含むことができる。この場合、前記回転軸Ｍ３はタブボディー４１の底面に対して直角をなすように構成されることができる。
【００６４】
上述した構造を有するタブ４はタブ支持部６を介してハウジングボディー３１に結合される。前記タブ支持部６は、ハウジングボディー３１に備えられる第１支持部６１、タブボディー４１に備えられる第２支持部６３、及び第１支持部と第２支持部を連結する連結部６５を含むことができる。
【００６５】
図３に示したように、前記連結部６５は、第１支持部６１に装着される第１連結部６５１、第２支持部６３を支持する第２連結部６５３、及び前記第１連結部と第２連結部を連結するバー（ｂａｒ）６５５を含むことができる。
【００６６】
前記第１連結部６５１は前記第１支持部６１の内部に装着されるとともに第１支持部６１の内部で運動することができる形状に構成され、前記第２連結部６５３は前記第２支持部６３を支持するとともに第２支持部６３の内部で運動することができる形状に構成されることが好ましい。
【００６７】
図３は各支持部６１、６３に接触する面が半球形である第１連結部６５１及び第２連結部６５３を一例として示すものであり、図４は球形に形成される第１連結部６５１及び第２連結部６５３を一例として示すものである。
【００６８】
一方、図４に示したように、前記各支持部６１、６３は前記バー６５５が前記キャビネット２の底面に対して直角となる位置（ハウジングの底面に直角となる位置）に備えられることが好ましい。
【００６９】
本発明は、少なくとも三つ以上のタブ支持部６がタブボディー４１をハウジングボディー３１に結合させるように備えられ、前記バー６５５がハウジングボディー３１の底面に対して直角をなすように備えられるので、前記バー６５５がＺ軸に対して所定角度で傾くように形成される場合に比べ、前記タブカバー４３と前記ハウジングカバー３５の間の間隔を増やすことができる（Ｓ１＞Ｓ２）。
【００７０】
したがって、本発明に備えられた前記タブ支持部６は、前記タブボディー４１がハウジングボディー３１の内部で振動しても前記タブカバー４３がハウジングカバー３５に衝突する可能性を減らすことができる。
【００７１】
前記バー６５５がハウジングボディー３１の底面に対して直角をなすように構成されれば、多数の前記第１支持部６１の一部はハウジングボディー３１に着脱可能に備えられることが好ましい。
【００７２】
前記タブ支持部６が少なくとも三つ以上備えられ、前記第１支持部６１がハウジングボディー３１から分離できないように備えられれば、前記タブボディー４１をハウジングボディー３１に固定する作業者は、第２支持部６３が第１支持部６１と干渉しないように、ハウジングボディー３１にタブボディー４１を挿入した後、第２支持部６３と第１支持部６１が垂直線上に位置するようにタブボディー４１を回転させることによってこそ第１連結部６５１を第１支持部６１に結合することができる。
【００７３】
ところが、タブ支持部のバー６５５がハウジングの底面に対して直角をなすように構成される特徴は、タブボディー４１の外周面とハウジングボディー３１の内周面の間の間隔を最小化（Ｓ３＜Ｓ４）して衣類処理装置１００の体積を最小化することができるものの、上述した過程によってなされる第１連結部６５１と第１支持部６１の組立性を悪化させることができる。このような欠点は、多数の第１支持部６１の一部がドローアボディー３１に着脱可能に備えられることによって解決することができる。
【００７４】
図３は前記タブ支持部６が四つ備えられた場合を一例として示すものである。この場合、前記第１支持部６１は、ハウジングパネルが位置する面（ハウジングの前面）に位置する一対の第１ブラケット６１１、及びハウジングの後面に位置する一対の第２ブラケット６１５を含むことができる。ハウジングボディー３１が六面体状に構成される場合、二つの第１ブラケットと二つの第２ブラケットは前記ハウジングボディーの各角部に備えられることができる。
【００７５】
ただ、前記第１ブラケット６１１はハウジングボディー３１の左側面に位置する一対のブラケットを含み、前記第２ブラケット６１５は前記ハウジングボディー３１の右側面に位置する一対のブラケットを含んでも構わない。
【００７６】
いずれの場合であっても、前記第１ブラケット６１１と前記第２ブラケット６１５の中で少なくともいずれか一対はハウジングボディー３１に固定されたボディー着脱部３１１に着脱可能に備えられることができる（三つのタブ支持部６が備えられる場合であれば、少なくとも一つ以上の第１支持部６１がハウジングボディー３１に着脱可能に備えられることができる）。
【００７７】
図３は、一対の第１ブラケット６１１はハウジングボディー３１から分離できるが、一対の第２ブラケット６１５はハウジングボディー３１から分離できない場合を一例として示すものである。
【００７８】
一対の第１ブラケット６１１がボディー着脱部３１１に着脱可能に備えられる場合、タブボディー４１とハウジングボディー３１の結合は次のようになされることができる。
【００７９】
作業者は、タブボディー４１の円周面に備えられた四つの第２支持部６３に連結部６５を結合させた後、四つの連結部６５の中で一対の連結部６５をハウジングの後面に位置する第２ブラケット６１５に結合する。
【００８０】
一対の第１連結部６５１が第２ブラケット６１５にそれぞれ装着すれば、作業者は残りの二つの連結部６５に第１ブラケット６１１を結合した後、第１ブラケット６１１をボディー着脱部３１１に固定することによってタブボディー４１とハウジングボディー３１を結合することができる。
【００８１】
したがって、連結部６５がハウジング３の底面に直角をなすように備えられることによって発生し得るタブボディー４１とハウジングボディー３１の組立性悪化を防止することができる。
【００８２】
タブボディー４１とハウジングボディー３１の組立性をより向上させるために、前記第１ブラケット６１１は連結部６５と一体に構成されることもできる。すなわち、タブボディー４１とハウジングボディー３１の組立時、前記第１ブラケット６１１は前記第１連結部６５１に結合された状態で作業者に提供されることができる。
【００８３】
前記第１ブラケット６１１は、前記第１連結部６５１を支持する収容孔部、バー６５５が貫く貫通ホール、及び前記収容孔部に支持された第１連結部６５１が収容孔部から分離されることを防止する連結部カバーを含むことができる。
【００８４】
上述したタブ支持部６を介して結合されたタブボディー４１がＸ−Ｙ平面内で遊動することを保障するために、前記第２ブラケット６１５は、連結部のバー６５５が貫く貫通ホール６１５ｃ、第１連結部６５１を支持する収容孔部６１５ａ、及び前記バー６５５が前記貫通ホール６１５ｃの縁部から貫通ホール６１５ｃの中心方向に挿入できるようにするスリット６１５ｂを含むように構成されることができる。
【００８５】
前記第１ブラケット６１１は第２ブラケット６１５と同一の形状に構成されることができる。すなわち、図５に示したように、前記第１ブラケット６１１は、連結部のバー６５５が貫く貫通ホール６１１ｃ、第１連結部６５１を支持する収容孔部６１１ａ、及び前記バー６５５が前記貫通ホール６１１ｃの縁部から貫通ホール６１１ｃの中心方向に挿入できるようにするスリット６１１ｂを含むように構成されることができる。
【００８６】
前記第１ブラケット６１１は締結部を介してボディー着脱部３１１に結合される。前記締結部は、第１ブラケット６１１を貫く第１締結ホール６１１ｄ、前記ボディー着脱部を貫く第２締結ホール３１２、及び各締結ホールに挿入されるカプラーＣを含むことができる。
【００８７】
図６（ａ）に示したように、前記タブボディー４１に備えられる前記第２支持部６３は、第２連結部６５３に装着する収容孔部６３１、連結部のバー６５５が挿入される貫通ホール６３５、及び前記バー６５５が貫通ホールの縁部から貫通ホールの中心に挿入できるようにするスリット６３３を含むことができる。
【００８８】
上述した第１支持部６１と第２支持部６３は前記タブボディー４１が振動するときに連結部６５の支持点の役目をするので、第１支持部６１と第１連結部６５１の間の摩擦力、前記第２支持部６３と第２連結部６５３の間の摩擦力は小さいほど有利であろう。したがって、前記第１支持部６１と第２支持部６３は自己潤滑性素材（ｓｅｌｆ−ｌｕｂｒｉｃａｔｉｖｅ  ｍａｔｅｒｉａｌ）でなることができる。
【００８９】
ただ、射出成形によって第１支持部６１はハウジングボディー３１と同一の素材で形成され、射出成形によって前記第２支持部６３は前記タブボディー４１と同一の素材で形成されることが一般的であることを考慮すると、第１連結部６５１及び第２連結部６５３のみ自己潤滑性素材でなるか、あるいは第１ブラケット６１１、第１連結部６５１及び第２連結部６５３のみ自己潤滑性素材でなることもできる。
【００９０】
一方、図６（ｂ）に示したように、第２支持部６３はタブボディー４１の円周面から突出するように備えられる。多数の第２支持部６３の少なくともいずれか一つ６３Ａはヒーター４１１が収容部４１３に挿入される方向（ヒーターが収容部から分離される方向）Ｆ１に平行な方向Ｆ２に沿ってタブボディー４１の円周面から突出することが好ましい。
【００９１】
ヒーター４１１が収容部４１３に組み立てられる方向Ｆ１に平行でない方向に第２支持部６３Ａが突出していれば、タブボディーを射出成形で製作しにくいか、あるいは金型に備えられたコア（ｃｏｒｅ）の数を増加させなければならない欠点が発生し得る。
【００９２】
前記第２支持部の中でいずれか一つ６３Ａがヒーター４１１の組立方向に平行な方向に備えられるためには、第２支持部６３Ａの突出方向Ｆ２をヒーターの組立方向Ｆ１と合わせるか、あるいはヒーターの組立方向Ｆ１を第２支持部６３が突出方向Ｆ２と合わせなければならない。
【００９３】
タブボディー４１を最も安定的に支持するためには、多数の第２支持部６３がタブボディー４１の円周面に放射状に配置されるとともに同じ角度で互いに離隔して備えられなければならない。第２支持部６３がタブボディーの円周面に放射状に配置されるという意味は全ての第２支持部６３がタブボディーの底面中心に位置する回転軸Ｍ３を基準に対称な位置に備えられることを意味する。よって、全ての第２支持部６３がタブボディーの円周面に放射状に配置された場合、前記ヒーターの組立方向はドラムの回転中心に向かう方向Ｆ３となるであろう。
【００９４】
上述した場合、ヒーターの組立方向を第２支持部６３がタブボディー４１の円周面から突出した方向と合わせれば、ヒーター４１１を収容する収容部４１３の長さがタブボディー４１の底面外側に固定されたステーターＭ１によって制限される問題がある。
【００９５】
衣類処理装置の体積を最小化する場合、収容部４１３がタブボディーの底面から突出可能な高さは制限されるので（ヒーターの厚さが制限される）、前記収容部４１３の長さが短くなればヒーター４１１の長さを長く設定しにくく、単位時間当り発熱量の高いヒーターを装着しにくい問題が発生し得る。
【００９６】
図６に示したものとは違い、収容部４１３がタブボディー４１の底面から突出しなければ上述した制限がなくなるが、収容部４１３はタブボディー４１に流入する水がヒーター４１１に最も先に供給されるようにすることによってヒーターの過熱を防止し、ドラム５の回転中にドラムの底面５７によってヒーターが損傷されることを防止するための手段である点を考慮すると、タブボディー４１の底面から突出することは不可避である。
【００９７】
このような状況を考慮すると、前記収容部４１３は前記タブボディー４１の底面から突出するように形成されるとともに前記ドラムの回転中心（Ｍ３が位置する地点）に向かわないように備えられ、多数の第２支持部６３のいずれか一つ６３Ａは前記収容部４１３の長手方向（ヒーターの組立方向、タブ貫通ホールに垂直な方向、Ｆ１）に平行な方向Ｆ２にタブボディー４１の円周面から突出するように備えられることが好ましい。
【００９８】
これにより、前記収容部４１３の長さはステーターＭ１の位置に制限されないだけでなく、射出成形によってタブボディー４１を製作することも容易な効果を図ることができる。
【００９９】
ヒーター４１１の組立方向Ｆ１がタブボディーの底面中心（例えば、Ｍ３が位置する方向）に向かわないようにするとともに第２支持部のいずれか一つ６３Ａがヒーターの組立方向に平行な方向Ｆ２に突出するタブボディー４１の構造は図６に示したように多様である。
【０１００】
上述した構造を有する衣類処理装置１００は、給水部７を介してタブ４に水を供給し、排水部８を介してタブ４に収容された水をキャビネット２の外部へ排出する。
【０１０１】
図２に示したように、前記給水部７は、タブカバーに備えられた供給口４３３に連結された第１給水管７１、キャビネットの外部に位置する給水源に連結された第２給水管７３、及び前記タブカバー４３に固定され、前記第１給水管と第２給水管を連結する連結管７５を含むことができる。
【０１０２】
前記第１給水管７１はハウジングカバー３５に備えられた第２貫通ホール３５３を介して供給口４３３と連結管７５を連結し、タブ４の振動時に第１給水管７１が連結管７５から分離されることを防止するために波形管でなることができる（図３参照）。
【０１０３】
また、前記ハウジング３がキャビネット２から引き出されるとき、第２給水管７３が連結管７５から分離されることを防止するために、第２給水管７３も波形管でなることができる。前記第２給水管７３は制御部（図示せず）によって制御される給水バルブ７７によって開閉される。
【０１０４】
ただ、図２に示したものとは違い、前記給水部７はキャビネットの外部に位置する給水源と前記タブカバーに備えられた供給口４３３を連結する単一給水管でなることができる。この場合、前記給水管は波形管でなることが好ましい。
【０１０５】
前記排水部８は、ハウジングボディー３１に固定される排水ポンプ８１、前記タブボディー４１の内部の水を排水ポンプ８１に案内する第１配水管８３、及び前記排水ポンプ８１から排出される水をキャビネット２の外部に案内する第２配水管８５を含むことができる。この場合、前記第２配水管８５は波形管でなることができる。
【０１０６】
上述した構造を有する衣類処理装置１００は、ドラム５に衣類を投入し、タブ４に水と洗剤を供給した後、駆動部によってドラム５を回転させることによって衣類を洗濯することになる。
【０１０７】
前記ドラム５の回転時にタブ４の内部には水流が形成されるため、衣類の洗濯中に洗剤が溶解しながら発生した泡又は衣類から排出された汚物は洗濯が完了した後にドア４５に残留する可能性がある。
【０１０８】
洗濯が完了したにもドア４５の内側表面に泡や汚物が残留すれば、使用者は衣類の洗濯が完了しなかったと間違えるかあるいは衣類処理装置１００の故障を疑うことになる問題も発生し得る。
【０１０９】
このような問題を解決するために、本発明の衣類処理装置１００には、前記ドア４５に残留する異物（泡や汚物など）を除去する噴射部９１をさらに含むことができる。
【０１１０】
本発明に備えられる噴射部は図７に示した形態の噴射部９１と図８に示した噴射部９３の中でいずれか一つのみでなることもでき、図７及び図８に示した噴射部９１、９３の両者を含むように構成されることもできる。
【０１１１】
図７に示した噴射部９１はドラム５の回転時に発生する遠心力を用いて前記ドア４５を洗浄する手段である。
【０１１２】
本発明に備えられるドラム５は回転中心をなす回転軸Ｍ３がタブボディーの底面に対して直角をなすので、ドラム５の回転時、タブ４内部の水は遠心力によってタブボディー４１の円周面に沿って上昇してからタブカバー４３に沿って投入口４３１の方向に移動する。
【０１１３】
本実施例による噴射部９１は遠心力によってタブカバー４３の方向に移動した水をドア４５が位置する方向に排出させることによってドア４５を洗浄する手段である。
【０１１４】
図７の噴射部９１は前記タブカバー４３の縁部から前記投入口４３１に向かって伸びるガイド９１５、及び前記ガイド９１５によって移動する水を前記ドア４５が位置する方向に排出させる排出部９１１、９１３を含むことができる。
【０１１５】
前記排出部は、前記タブカバー４３から前記ドラム５に向かって突出する遮断壁９１１、及び前記遮断壁９１１を貫くように備えられ、前記ドア４５に向かって水を排出する排出口９１３を含むことができる。
【０１１６】
前記遮断壁９１１は前記投入口４３１の全体を取り囲むように構成されることもでき、前記投入口４３１を断続的に取り囲むように構成されることもできる。遮断壁が投入口を断続的に取り囲むという意味は前記投入口の縁部に沿って多数の遮断壁が互いに離隔して配置されることを意味する。
【０１１７】
図７Ｂは前記遮断壁９１１が投入口４３１全体を取り囲むように備えられた場合を示すものであり、この場合、前記遮断壁９１１は投入口４３１の縁部からドラム５に向かって突出するように構成されることができる。
【０１１８】
一方、前記ドア４５がタブカバー４３の上面に回転可能に結合されることによってドア４５の内側表面（水に接触するドアの一面）が排出口９１３より高い位置にある場合、前記排出口９１３は前記ドア４５に向かって水が排出されるように所定角度で傾くように構成されることが好ましい。
【０１１９】
また、前記ドア４５に透明素材からなったウィンドウ４５５が備えられる場合、使用者はウィンドウ４５５を通じて異物の残留有無を確認することになるので、前記排出口９１３は前記ウィンドウ４５５に水が排出されるように傾くように構成されることもできる。
【０１２０】
前記ガイド９１５は、前記ドラム５が時計方向に回転するとき、前記タブカバー４３の縁部に移動する水を前記排出口９１３に案内する第１ガイド９１３ａ、及び前記ドラム５が反時計方向に回転するとき、前記タブカバー４３の縁部に移動する水を前記排出口部９１３に案内する第２ガイド９１５ｂを含むことができる。
【０１２１】
前記排出口９１３が前記遮断壁９１１を貫く単一ホールでなる場合、各ガイド９１５ａ、９１５ｂは同じ排出口９１３に水を案内するようになるであろう。しかし、前記排出口９１３が前記遮断壁９１１を貫くように形成された第１排出口９１３ａ及び第２排出口９１３ｂを含むように構成される場合、前記第１ガイド９１５ａは第１排出口９１３ａに水を案内し、前記第２ガイド９１５ｂは第２排出口９１３ｂに水を案内するように構成されることができる。
【０１２２】
前記第１ガイド９１５ａに沿って移動する水の方向は前記第２ガイド９１５ｂに沿って移動する水の方向の反対方向であるため、本発明に備えられた噴射部９１はドラム５の回転数が既設定の基準回転数（遠心力によってタブボディー内部の水がタブカバーまで上昇する回転数）以上である限り、ドラムの回転方向に関係なくドア４５を洗浄することができる。
【０１２３】
また、前記第１排出口９１３ａから排出される水の軌跡と前記第２排出口９１３ｂから排出される水の軌跡が互いに交差するように各排出口９１３ａ、９１３ｂは所定角度で傾くように構成されることもできる。これは排出部の洗浄範囲を拡大するためである。
【０１２４】
上述した構造を有する噴射部９１は前記投入口４３１の縁部に沿って多数が配置されることができ、多数の噴射部９１は前記投入口４３１を取り囲むように配置されることが好ましい。また、多数の前記噴射部９１の中で少なくとも二つは互いに向かい合うように配置されることができる。これは排出部９１の洗浄力を高めるためである。
【０１２５】
図８に示した噴射部９３はタブ４に供給される水をドア４５に噴射することによってドア４５を洗浄することが特徴とする。本実施例による噴射部９３は、タブカバーに備えられた供給口４３３に供給される水を前記投入口４３１の方向に案内するチャンバー９３１、及び前記チャンバー９３１に流入した水を前記ドアに排出させるチャンバー排出口９３３を含む。
【０１２６】
前記チャンバーは、前記供給口４３３の下側に位置する流入チャンバー９３１ａ、及び前記流入チャンバーに流入した水を前記チャンバー排出口９３３に案内する連結チャンバー９３１ｂを含む。
【０１２７】
前記流入チャンバー９３１ａには前記供給口４３３に連結される連通ホール９３１ｅが備えられ、前記チャンバー排出口９３３を通じて排出される水の圧力を高めるために、前記連結チャンバー９３１ｂの断面積は流入チャンバー９３１ａの断面積より小さく形成されることが好ましい。また、前記チャンバー排出口９３３の断面積は連結チャンバーの断面積より小さく形成されることができる。
【０１２８】
前記連結チャンバー９３１ｂは、前記チャンバー排出口９３３から噴射された水が前記投入口の上側に位置するドア４５に供給できるように、所定角度で傾くように構成されることができる。
【０１２９】
ただ、前記ドア４５にウィンドウ４５５が備えられた場合であれば、前記連結チャンバー９３１ｂは前記チャンバー排出口９３３から噴射された水が前記ウィンドウ４５５に供給されることができる角度で傾くように構成されることが好ましい。
【０１３０】
一方、前記流入チャンバー９３１ａには、流入チャンバー内部の水の一部を前記ドラム５に噴射する流入チャンバー排出口９３５をさらに含むことができる。
【０１３１】
前記流入チャンバー排出口９３５はドラムボディーの底面５７に向かって水を噴射するように構成されることもでき、ドラムボディーの円周面５５に向かって水を噴射するように構成されることもできる。
【０１３２】
前記流入チャンバー排出口９３５がドラムボディーの底面５７に向かって水を噴射するように構成されれば、前記流入チャンバー排出口９３５は洗濯中にドラム５の内部に水を噴射することにより、ドラム５の内部に発生した泡を鎮める役目をするようになる。
【０１３３】
すなわち、制御部が洗濯中に給水バルブ７７を制御して前記チャンバー９３１に水を供給すれば、洗濯中にタブの内部に発生した泡を鎮めることで、ドア４５に泡を含めた異物が残留することを防止することができる。
【０１３４】
しかし、前記流入チャンバー排出口９３５がドラムボディーの円周面５５に向かって水を噴射するように構成されれば、前記流入チャンバー排出口９３５はドラム円周面５５を洗浄するための手段となるであろう。
【０１３５】
すなわち、洗濯が完了した後、制御部が給水バルブ７７を制御して前記チャンバー９３１に水を供給するとともにドラム５を回転させれば、ドラムの表面に残留する異物は流入チャンバー排出口９３５から排出される水によって洗浄される。
【０１３６】
また、前記連結チャンバー９３７にも内部の水をドラム５に排出させる連結チャンバー排出口９３７がさらに備えられることができる。
【０１３７】
前記連結チャンバー排出口９３７は少なくとも二つ以上が備えられることができる。この場合、一つの連結チャンバー排出口９３７はドラムボディーの底面５７に向かって水を排出するように構成され、他の一つの連結チャンバー排出口９３７はドラムボディーの円周面５５に向かって水を排出するように構成されることができる。
【図１】
2018524026.tif 000003
【図２】
2018524026.tif 000004
【図３】
2018524026.tif 000005
【図４】
2018524026.tif 000006
【図５】
2018524026.tif 000007
【図６（ａ）】
2018524026.tif 000008
【図６（ｂ）】
2018524026.tif 000009
【図７（ａ）】
2018524026.tif 000010
【図７（ｂ）】
2018524026.tif 000011
【図８】
2018524026.tif 000012
【国際調査報告】
2018524026.tif 000013
2018524026.tif 000014
2018524026.tif 000015